(57)【要約】【課題】天板を三辺の長さが異なる直角三角形に形成したテーブルにおいて、天板を反転使用することができるようにし、左右コーナーごとに左右対称で配置することができる三角テーブルを提供する。【解決手段】三辺の長さが異なる直角三角形に形成され、その両面で三箇所の隅部寄りの位置にダボ孔１３が設けられた天板２と、前記天板２を載置する脚部材３との組み合わせからなり、この脚部材３は、天板２における直角を挟んで隣接する長尺側辺の下部を支える第１の脚部材４と、短尺側辺の下部を支える第２の脚部材５を結合して形成され、前記第１の脚部材４及び第２の脚部材５の上端で、天板２に設けたダボ孔１３と対応する三箇所の位置に、ダボ孔１３を嵌め合わせることにより天板２を脚部材３に固定するダボ１２を突設した。【選択図】図１
0003169828.tif 000002
【実用新案登録請求の範囲】
【請求項１】
平面形状を三辺の長さが異なる直角三角形に形成され、その両面で三箇所の隅部寄りの位置にダボ孔が設けられた天板と、
前記天板を載置することによりこの天板を水平に支持する脚部材との組み合わせからなり、
前記脚部材は、天板における直角を挟んで隣接する長尺側辺の下部を支える第１の脚部材と、短尺側辺の下部を支える第２の脚部材からなり、この第１の脚部材と第２の脚部材は、互いに重なる折り畳み状態から、第２の脚部材を第１の脚部材の両側に対して何れの側にも直角状の配置にできるように結合して形成され、
前記第１の脚部材及び第２の脚部材の上端で、天板に設けたダボ孔と対応する三箇所の位置に、ダボ孔を嵌め合わせることにより天板を脚部材に固定するダボを突設した三角テーブル。
【請求項２】
上記天板に設けたダボ孔を、このダボ孔に対して抜き差し自在に納まる蓋部材で埋めるようにした請求項１に記載の三角テーブル。
【考案の詳細な説明】
【技術分野】
【０００１】
この考案は、一般家庭の室内や店舗、各種施設において設置し、草花や装飾品等を飾ったりディスプレイとして使用する木製の三角テーブルに関する。
【背景技術】
【０００２】
天板を三角形に形成し、室内のコーナー等を利用して配置することができるテーブルは既に知られており、従来のこの種三角テーブルとしては、平面形状を直角三角形に形成した天板を脚部材の上に固定し、この脚部材を折り畳めるようにした構造になっている（例えば、特許文献１参照）。
【先行技術文献】
【特許文献】
【０００３】
【特許文献１】実用新案登録第３１２８３２３号公報
【考案の概要】
【考案が解決しようとする課題】
【０００４】
ところで、上記のような三角テーブルは、例えば、室内のコーナー部分に天板の直角部分を嵌め合わせるように配置することで、デッドスペースとなる室内のコーナー部分を有効に利用して、草花や装飾品等を飾ったりディスプレイとして使用することができるが、天板を三辺の長さが異なる直角三角形とした三角テーブルの場合、配置の変更は天板の三角形の向きが単に平面的に変わるだけであり、天板を左右対称の配置には変化させることができず、このため、一台の三角テーブルでは配置の条件に制約が生じ、室内の左右コーナー部分に左右対称で配置した場合、左右コーナーごとに二種類の三角テーブルが必要になり、しかも、テーブルの設置時や場所変え時に三角形を平面的に回して向きを変えるだけでは、見た目の変化に乏しいものであり、装飾性に変化が得られないという問題がある。
【０００５】
そこで、この考案の課題は、天板を三辺の長さが異なる直角三角形に形成したテーブルにおいて、天板を反転使用することができるようにし、左右コーナーごとに左右対称で配置することができ、設置時や場所変え時の制約が少ない三角テーブルを提供することにある。
【課題を解決するための手段】
【０００６】
上記の課題を解決するため、この考案は、平面形状を三辺の長さが異なる直角三角形に形成され、その両面で三箇所の隅部寄りの位置にダボ孔が設けられた天板と、前記天板を載置することによりこの天板を水平に支持する脚部材との組み合わせからなり、前記脚部材は、天板における直角を挟んで隣接する長尺側辺の下部を支える第１の脚部材と、短尺側辺の下部を支える第２の脚部材からなり、この第１の脚部材と第２の脚部材は、互いに重なる折り畳み状態から、第２の脚部材を第１の脚部材の両側に対して何れの側にも直角状の配置にできるように結合して形成され、前記第１の脚部材及び第２の脚部材の上端で、天板に設けたダボ孔と対応する三箇所の位置に、ダボ孔を嵌め合わせることにより天板を脚部材に固定するダボを突設したものである。
【０００７】
上記天板に設けたダボ孔を、このダボ孔に対して抜き差し自在に納まる蓋部材で埋めるようにすることができる。
【０００８】
ここで、上記天板は、平面長方形の木板を用い、対角線に沿って切断することにより、三辺の長さが異なる直角三角形に切り出され、両面における三箇所の隅部寄りの位置に円形のダボ孔が設けられている。
【０００９】
上記脚部材における第１の脚部材と第２の脚部材は、二本の脚体を横桟で結合して枠状に形成され、第１の脚部材と第２の脚部材における両者の一方端部の脚体を蝶番や接続金具で結合し、互いに重なる折り畳み状態から、第２の脚部材を第１の脚部材の両側に対して何れの側にも直角状の配置にできるようになっており、第２の脚部材を直角にすると脚部材は自立可能になる。
【００１０】
上記脚部材の上端に設けたダボは、第１の脚部材における両脚体の上端と、第２の脚部材における他方端部の脚体の上端に突設され、直角に開いた脚部材の上に天板を載置したとき、この天板に設けたダボ孔は脚部材の前記ダボに一致する配置となり、ダボ孔をダボに嵌め合わせることにより、脚部材の直角に開いた状態が固定化され、同時に脚部材に対して天板が固定される。
【考案の効果】
【００１１】
この考案によると、平面形状を三辺の長さが異なる直角三角形に形成された天板を水平に支持する脚部材の第１の脚部材と第２の脚部材を、互いに重なる折り畳み状態から、第２の脚部材を第１の脚部材の両側に対して何れの側にも直角状の配置にできるように結合し、この脚部材の上端で、天板の両面に設けたダボ孔と対応する三箇所の位置に、ダボ孔を嵌め合わせることにより天板を脚部材に固定するダボを突設したので、脚部材に対して天板は着脱自在となり、天板を反転させると共に第２の脚部材の折れ曲り方向を選択することにより、天板は両面の何れかを上にして使用することができ、天板が平面形状を三辺の長さが異なる直角三角形になっていても、反転させることで左右対称の配置に使い分けることができ、室内の左右コーナーごとに左右対称で同じような条件に配置することができ、設置時や場所変え時の制約が少なくなる。
【００１２】
また、平面形状を三辺の長さが異なる直角三角形になっている天板を反転させることにより、左右対称の配置に使い分けができ、これにより、天板の見た目と装飾性を変化させることができ、設置場所や条件に合わせた使い分けができる。
【００１３】
更に、脚部材と天板の固定を、天板の両面で三箇所の隅部寄りの位置に設けたダボ孔と、脚部材の上端で三箇所の位置に突設したダボの嵌め合わせによって行うので、テーブルの組み立て及び分解が、工具類を用いることなく手作業で簡単に行える。
【００１４】
また、脚部材と天板は分解できると共に、脚部材を二つ折りに折り畳み可能にしたので、嵩低くなって格納や輸送に便利であり、重量の分散により移動も省力的に行なえる。
【図面の簡単な説明】
【００１５】
【図１】この考案に係る三角テーブルにおいて、第１の例の脚部材を用いた分解斜視図
【図２】この考案に係る三角テーブルの第１の例の脚部材を用いた平面図
【図３】この考案に係る三角テーブルの第１の例の脚部材を用いた一部切欠き正面図
【図４】第１の例の脚部材の折り畳みと直角の折り曲げを説明するための平面図
【図５】第１の例の脚部材の直角の折り曲げを説明するための斜視図
【図６】第１の例の脚部材における蝶番金具での結合部分を拡大した斜視図
【図７】第１の例の脚部材を用いたこの考案に係る三角テーブルにおいて、図２に対して天板を反転させた状態の平面図
【図８】第１の例の脚部材を用いたこの考案に係る三角テーブルの一部切欠き斜視図
【図９】この考案に係る三角テーブルにおいて、第２の例の脚部材を用いた分解斜視図
【図１０】（ａ）はこの考案に係る三角テーブルにおいて、第２の例の脚部材の結合に用いる連結金具の斜視図、（ｂ）は同じくＳ環を示す斜視図
【図１１】第２の例の脚部材を用いたこの考案に係る三角テーブルの平面図
【図１２】図１１に対して天板を反転させた状態を示す三角テーブルの平面図
【考案を実施するための形態】
【００１６】
以下、この考案の実施の形態を図示例に基づいて説明する。
【００１７】
図示のように、この考案の三角テーブル１は、平面形状が三角形の天板２と、この天板２を支持する脚部材３との組み合わせからなり、前記天板２は、厚みのある長方形の木製板を対角線に沿って切断して切り出すことにより、三辺（Ａ）、（Ｂ）、（Ｃ）の長さが（Ａ）＞（Ｂ）＞（Ｃ）の関係で異なる直角三角形に形成され、三箇所の角は丸みを持たせ．厚み方向の両面におけるコーナーも丸みを持たせることにより、衝突による怪我等を防ぐことで安全性を向上させるようにしている。
【００１８】
なお、上記天板２において、平面的な大きさや厚みは、三角テーブル１の用途や配置場所の条件に合わせて任意に設定することができ、また、両面における色彩や木目、模様等の仕上げは同一であってもよいが、これらを組合わせることによって異なるようにしてもよい。
【００１９】
上記脚部材３は、天板２の直角三角形において、直角の関係にある二辺（Ｂ）と（Ｃ）の長尺側の辺（Ｂ）を支える第１の脚部材４と、短尺側の辺（Ｃ）を支える第２の脚部材５からなり、第１の脚部材４に対して第２の脚部材５は一面側に重なる折り畳み状態から、第１の脚部材４の両面における何れの側にも直角に開くことができるように連結されている。
【００２０】
図１乃至図８は、脚部材３の第１の例として、角材を用いて組立てた木製脚となる脚部材３を示し、垂直となる二本の角材を用いた脚体６の上下の位置を横桟７で結合して第１の脚部材４と第２の脚部材５をそれぞれ枠状に形成し、第１の脚部材４と第２の脚部材５の一方脚体６を蝶番金具８で互いに連結した構造を有し、天板２の直角の関係にある二辺（Ｂ）と（Ｃ）の長尺側の辺（Ｂ）を支える第１の脚部材４は、短尺側の辺（Ｃ）を支える第２の脚部材５よりも幅が広い矩形枠状となり、この第２の脚部材５は、前記蝶番金具８を支点にして、第１の脚部材４の一面側に重なる折り畳み状態と、第１の脚部材４に対して直角に折り曲げた平面Ｌ字形の自立状態に変化させることができるようになっている。
【００２１】
なお、上記蝶番金具８は、例えば、第１の脚部材４に対して第２の脚部材５を３６０°の範囲で回転を可能にする周知の屏風蝶番を用い、第２の脚部材５が、第１の脚部材４に対して、一面側に重なる折り畳み状態と、一面側へ直角に折れ曲がる状態及び他面側へ直角に折れ曲がる状態が選択できるような構造になっている。
【００２２】
図９乃至図１２は、脚部材３の第２の例として、木製丸材や金属製パイプを用いて組立てた脚部材３を示し、垂直となる二本の丸材や金属製パイプを用いた脚体６の上下の位置を横桟７で結合して第１の脚部材４と第２の脚部材５を枠状に形成し、第１の脚部材４と第２の脚部材５の一方脚体６を、脚体６が嵌る一対の孔９を設けた連結金具１０や金属線材を屈曲させて両側を脚体６が嵌る環状にしたＳ環１１で連結し、この連結金具１０やＳ環１１に嵌る脚体６の部分を支点にして、第２の脚部材５を回動させることにより、第２の脚部材５が第１の脚部材４の一面側に重なる折り畳み状態と、第１の脚部材４に対して両面の何れかの側へ直角に折り曲げた平面Ｌ字形の自立状態に変化させることができるようになっている。
【００２３】
上記した脚部材３において、第１の脚部材４における両脚体６の上端と、第２の脚部材５の他方脚体６の上端とにダボ１２が突設されている。
【００２４】
また、上記天板２において、この天板２の三隅の位置に上記ダボ１２が嵌るダボ孔１３が、この天板２の両面に対してそれぞれ設けられ、両面に設けたダボ孔１３は開いた脚部材３における三箇所のダボ１２と同じ配置になり、脚部材３をＬ形に開いて自立状態にし、その上に天板２を載置して三隅の位置に設けたダボ孔１３を対応する位置の前記ダボ１２に嵌め合わせることにより、脚部材３の開いた状態が固定され、同時に脚部材３に対して天板２を水平の配置で固定することができる。
【００２５】
上記天板２には、その両面の三隅の位置にダボ孔１３が設けられているので、脚部材３に対する取付けに際して天板２を反転させることにより、その両面の何れかを上にして使用することができる。
【００２６】
この天板２の反転は、直角の関係にある二つの辺（Ｂ）と（Ｃ）において、例えば、図１１と図１２の例で示したように、長尺の辺（Ｂ）を中心に回転させるようにするので、脚部材３においては、天板２の反転時に、第１の脚部材４に対して第２の脚部材５の折れ曲り方向を短い辺（Ｃ）の方向に変化させるようにする。
【００２７】
上記天板２の上面側に位置する各ダボ孔１３は、図９のように、木材や金属、ゴム、樹脂等を用いてこのダボ孔１３に抜き差し可能に嵌るよう形成した蓋部材１４で埋め、ダボ孔１３にゴミ等が溜まらないようにしている。
【００２８】
この考案の三角テーブル１は、上記のような構成であり、第１の脚部材４と第２の脚部材５を平面Ｌ形に開いて自立させた脚部材３の上に天板２を載置し、この天板２の下面三隅に設けたダボ孔１３を対応するダボ１２に嵌め合わすことにより、脚部材３の開脚自立状態が天板２によって保持され、同時に脚部材３に天板２が水平に固定された状態で三角テーブル１が組み上がり、この三角テーブル１は、例えば、一般家庭の室内や店舗、各種施設において設置し、草花や装飾品等を飾ったりディスプレイとして使用する。
【００２９】
上記三角テーブル１の組み立ては、ダボ１２とダボ孔１３の嵌め合わせだけでよいので、組立及び分解が工具類を用いることなく行え、また、天板２の上面にあるダボ孔１３は蓋部材１４の嵌め込みにより埋めておく。
【００３０】
また、上記三角テーブル１の組立て時において、図１と図２及び図１１のように、天板２を最長の傾斜辺（Ａ）が手前になる配置となるようにする場合、脚部材３は第１の脚部材４に対して第２の脚部材５が短尺辺（Ｃ）に沿うように平面Ｌ形に開いて自立させる。
【００３１】
図１と図２及び図１１で示した組み立て状態とは別に、天板２を反転させて勝手違いに使用した図７や図１２のような三角テーブル１を組立てることができ、この場合も、脚部材３は第１の脚部材４と第２の脚部材５を天板２の直角となる二辺（Ｂ）と（Ｃ）に沿う配置となるように開脚させればよい。
【００３２】
このような天板２の反転使用は、天板２と脚部材３の固定にダボ１２とダボ孔１３の嵌め合わせ構造を採用し、天板２の両面にダボ孔１３を設けると共に、脚部材３の第２の脚部材５を、第１の脚部材４に対して両面の何れ側にも直角の配置にできる構造とすることにより可能となり、三辺の長さが異なる直角三角形の天板２を反転使用できるようにすることで、例えば、三角テーブル１は室内におけるコーナー部分を有効に利用して、左右対称状の配置に変化させることができ、このように天板２を反転使用可能とすることで、店舗等においては配置換えのときにレイアウトが選べることになる。
【００３３】
また、天板２と脚部材３が分離でき、脚部材３の第２の脚部材５を第１の脚部材４の一面側に対して重なる折り畳み可能とすることで、三角テーブル１の重量の分散化や全体を嵩張らないように折り畳むことができ、運搬や移動時に有利である。
【符号の説明】
【００３４】
１          三角テーブル
２          天板
３          脚部材
４          第１の脚部材
５          第２の脚部材
６          脚体
７          横桟
８          蝶番金具
９          孔
１０        連結金具
１１        Ｓ環
１２        ダボ
１３        ダボ孔
１４        蓋部材
【図１】
0003169828.tif 000003
【図２】
0003169828.tif 000004
【図３】
0003169828.tif 000005
【図４】
0003169828.tif 000006
【図５】
0003169828.tif 000007
【図６】
0003169828.tif 000008
【図７】
0003169828.tif 000009
【図８】
0003169828.tif 000010
【図９】
0003169828.tif 000011
【図１０】
0003169828.tif 000012
【図１１】
0003169828.tif 000013
【図１２】
0003169828.tif 000014